(57)【特許請求の範囲】
【請求項１】
シートを搬送路に沿って搬送する複数の搬送ローラと、前記搬送路上で搬送不良を起こしてジャムしたシートを取り除くために前記複数の搬送ローラを回転させるジャム解除ダイヤルと、該ジャム解除ダイヤルを覆う閉位置と該ジャム解除ダイヤルの少なくとも一部を露出させる開位置との間で開閉可能に設けられる開閉カバーとを備えたシート搬送装置であって、
前記複数の搬送ローラの少なくとも１つの搬送ローラの駆動軸に前記ジャム解除ダイヤルの回転を伝達するために互いに連結する第１、第２の連結部材と、
前記第１の連結部材を支持し、該第１の連結部材を前記第２の連結部材に連結させる第１位置と前記第２の連結部材から離間させる第２位置に移動する支持部材と、
前記支持部材を前記第１位置の方向に付勢する付勢部材と、
前記開閉カバーに設けられ、該開閉カバーが閉位置にあるときに前記支持部材に当接してこの支持部材を前記付勢部材の付勢力に抗して前記第２位置の方向に押圧する押圧部材とを備えたことを特徴とするシート搬送装置。
【請求項２】
シートを搬送路に沿って搬送する複数の搬送ローラと、前記搬送路上で搬送不良を起こしてジャムしたシートを取り除くために前記複数の搬送ローラを回転させるジャム解除ダイヤルとを有し、前記シートを読み取る読取装置の上面に対して開閉自在に取り付けられるシート搬送装置であって、
前記複数の搬送ローラの少なくとも１つの搬送ローラの駆動軸に前記ジャム解除ダイヤルの回転を伝達するために互いに連結する第１、第２の連結部材と、
前記第１の連結部材を支持し、該第１の連結部材を前記第２の連結部材に連結させる第１位置と前記第２の連結部材から離間させる第２位置に移動する支持部材と、
前記支持部材を前記第１位置の方向に付勢する付勢部材と、
前記支持部材に設けられ、シート搬送装置が前記読取装置の上面を覆う閉じ位置にあるときにこの読取装置の上面に当接して前記支持部材を前記付勢部材の付勢力に抗して前記第２位置に移動させる当接部材とを備えたことを特徴とするシート搬送装置。
【請求項３】
前記第１、第２の連結部材が互いに歯合して連結される２つのギアによって構成され、前記支持部材が前記２つのギアの一方を回転自在に保持すると共に、前記ジャム解除ダイヤルの回転軸を支点として揺動するホルダで構成されている請求項１又は２に記載のシート搬送装置。
【発明の詳細な説明】
【技術分野】
【０００１】
本発明は、シート詰まり等の搬送不良を起こしたシートを搬送路上から取り除くためのジャム解除機構を備えたシート搬送装置に関するものである。
【背景技術】
【０００２】
複写機やプリンタなどの画像形成装置やスキャナ，ファクシミリ等に備わる画像読取装置には、原稿（シート）を印字部や読取部などの各処理部に給紙し、ここで処理されたシートを排出するシート搬送装置を備えている。前記画像形成装置や画像読取装置は、その上面にシートを手置きした状態で読み取る読取用のプラテンが設けられている。シート搬送装置は、前記プラテンの上方に開閉可能に設けられ、シートをプラテン上にセットする際にはプラテン上面を開放するように離間し、シートがセットされた後にプラテン上面を覆うように閉じた状態で使用される。
【０００３】
前記シート搬送装置は、給紙トレイから各処理部を介して排紙トレイに至る搬送路に沿って複数の搬送ローラが配置されており、給紙トレイにセットされたシートを１枚ずつ繰り出して処理部に搬送し、その後に処理部で処理されたシートを排紙トレイに排出するように構成されている。このようなシート搬送装置にあっては、搬送路の途中でシート詰まり等による搬送不良（ジャム）が発生した場合、シート搬送装置に設けられているメンテナンス用の開閉カバーを開いて搬送路を露出させたり、シート搬送装置自体を画像形成装置や画像読取装置から離間させたりすることによってジャムしたシートが取り除けるようになっている。
【０００４】
また、ジャムしたシートを取り出す場合に、外部からジャムしたシートを掴んで引っ張り出せる位置までシートを手動で送り出すためのジャム解除用の操作ダイヤルを設けたシート搬送装置がある。前記ジャム解除用の操作ダイヤルは、特許文献１，２に開示されているように、搬送モータを備えた駆動機構によって常時連結された搬送ローラが回転する構成となっている。
【先行技術文献】
【特許文献】
【０００５】
【特許文献１】特開２００５−２１０１８４号公報
【特許文献２】特開２０１０−４１４６４号公報
【発明の概要】
【発明が解決しようとする課題】
【０００６】
しかしながら、上記従来のジャム解除用の操作ダイヤルを備えたジャム解除機構は、操作ダイヤルの回転機構が特定の搬送ローラと常時連結した状態となっているので、ジャムが発生していない通常のシート搬送時にも操作ダイヤルの回転に伴う負荷が生じることとなる。そして、このような負荷によって、搬送ローラを駆動する駆動モータの大型化や消費電力の増大を招いていた。また、操作ダイヤルの回転による騒音や異音を引き起こすおそれがあった。
【０００７】
従来のジャム解除用の操作ダイヤルを備えたシート搬送装置の多くは、複数ある搬送ローラのうち、いくつかの搬送ローラの駆動をそれぞれ個別に制御するようになっている。このため、例えば、読取用と排紙用とからなる２つの搬送ローラの一方を第１の駆動モータで駆動し、他方を第２の駆動モータで駆動させるように構成したものにあっては、各ローラの駆動伝達機構が互いに連結していないので、複数の操作ダイヤルが必要となっていた。さらに、単一の駆動モータを用いたものであっても、電磁クラッチなどによって特定の搬送ローラを個別に制御することは可能であるが、電磁クラッチが駆動を解除した状態では駆動伝達機構が互いに連結していないので、結局複数の操作ダイヤルが必要となっていた。
【０００８】
このように、複数の操作ダイヤルがある場合は、これら複数の操作ダイヤルを同時に同一方向に回転させなければシートの破損やシートの詰まりが重なって、さらにジャムの状態が悪くなるといった問題も生じることがある。また、この操作ダイヤルは手動で行うため、操作する人によって回転のバラツキが生じやすく、ジャム解除動作が確実に行われないなどの操作性に難があった。
【０００９】
そこで本発明は、通常の状態にあってはシート搬送をスムーズに行うことができ、シート詰まり等のジャムが発生した際には、確実にシートを取り除くことができると共に、単一の回転操作によってジャムしたシートの送り出しを容易にすることができるジャム解除機構を備えたシート搬送装置を提供することを目的とする。
【課題を解決するための手段】
【００１１】
本発明のシート搬送装置は、シートを搬送路に沿って搬送する複数の搬送ローラと、前記搬送路上で搬送不良を起こしてジャムしたシートを取り除くために前記複数の搬送ローラを回転させるジャム解除ダイヤルと、該ジャム解除ダイヤルを覆う閉位置と該ジャム解除ダイヤルの少なくとも一部を露出させる開位置との間で開閉可能に設けられる開閉カバーとを備えたシート搬送装置であって、前記複数の搬送ローラの少なくとも１つの搬送ローラの駆動軸に前記ジャム解除ダイヤルの回転を伝達するために互いに連結する第１、第２の連結部材と、前記第１の連結部材を支持し、該第１の連結部材を前記第２の連結部材に連結させる第１位置と前記第２の連結部材から離間させる第２位置に移動する支持部材と、前記支持部材を前記第１位置の方向に付勢する付勢部材と、前記開閉カバーに設けられ、該開閉カバーが閉位置にあるときに前記支持部材に当接してこの支持部材を前記付勢部材の付勢力に抗して前記第２位置の方向に押圧する押圧部材とを備えたことを特徴とする。
【００１２】
本発明のシート搬送装置は、シートを搬送路に沿って搬送する複数の搬送ローラと、前記搬送路上で搬送不良を起こしてジャムしたシートを取り除くために前記複数の搬送ローラを回転させるジャム解除ダイヤルとを有し、前記シートを読み取る読取装置の上面に対して開閉自在に取り付けられるシート搬送装置であって、前記複数の搬送ローラの少なくとも１つの搬送ローラの駆動軸に前記ジャム解除ダイヤルの回転を伝達するために互いに連結する第１、第２の連結部材と、前記第１の連結部材を支持し、該第１の連結部材を前記第２の連結部材に連結させる第１位置と前記第２の連結部材から離間させる第２位置に移動する支持部材と、前記支持部材を前記第１位置の方向に付勢する付勢部材と、前記支持部材に設けられ、シート搬送装置が前記読取装置の上面を覆う閉じ位置にあるときにこの読取装置の上面に当接して前記支持部材を前記付勢部材の付勢力に抗して前記第２位置に移動させる当接部材とを備えたことを特徴とする。
【発明の効果】
【００１３】
本発明のシート搬送装置によれば、シート搬送時にはジャム解除機構に備わる連結部材が搬送ローラから離間し、ジャムの解除時には前記連結部材が搬送ローラに連結するように切り換わるので、通常のシート搬送時にあっては、シートの搬送に支障を生じることなく、シート詰まり等のジャムが生じた場合には確実且つ容易にジャムしたシートの取り出しを行うことができる。
【００１４】
また、前記ジャム解除機構が搬送路の上方を覆うメンテナンス用の開閉カバーの開閉操作やシート搬送装置自体を読取装置上から離間させる操作によって切り換わるように構成することで、ジャムしたシートを取り除こうとする動作に連動してシートの搬送を停止させてジャム解除ダイヤルの回転操作を行うことができる。
【００１５】
さらに、前記ジャム解除機構に備わる単一のジャム解除ダイヤルの回転操作だけで、２以上の搬送ローラに跨ってジャムしたシートを破損することなく容易に取り除くことができる。
【図面の簡単な説明】
【００１６】
【図１】本発明に係るシート搬送装置の開閉カバーを開けた状態を示す斜視図である。
【図２】シート搬送機構を示す断面図である。
【図３】第１実施形態のジャム解除機構を示す断面図である。
【図４】シート搬送機構とジャム解除機構の駆動系を示す概念図である。
【図５】シート搬送機構とジャム解除機構の要部を示す斜視図である。
【図６】開閉カバーを閉じたときのジャム解除機構の動作を示す断面図である。
【図７】開閉カバーを開いたときのジャム解除機構の動作を示す断面図である。
【図８】第２実施形態のジャム解除機構が組み込まれたシート搬送ユニットの斜視図である。
【図９】上記第２実施形態のジャム解除機構の動作を示す断面図である。
【発明を実施するための形態】
【００１７】
以下、図面を参照しつつ本発明に係るシート搬送装置の実施形態を詳細に説明する。図１は本発明のシート搬送装置に設けられているメンテナンス用の開閉カバーを開いた状態を示した斜視図である。また、図２はシート搬送機構の構成を示す要部断面図、図３はジャム解除機構が配置された状態の要部断面図である。
【００１８】
図２に示されるように、シート搬送装置１は、搬送路７に沿って移動するシートを読み取る第１プラテン５と、一枚ずつ手置きによって載置されたシートを読み取る第２プラテン６とを有する読取装置本体２の上方に開閉可能に取り付けられる。そして、このシート搬送装置１には、シートを給紙トレイ３から排紙トレイ４に向けて搬送するシート搬送機構２０と、図３に示されるように、前記シート搬送機構２０内に組み込まれ、搬送路７上でジャムしたシートを取り除くジャム解除機構４０とを備えている。
【００１９】
前記シート搬送機構２０は、図２に示したように、複数枚のシートを載置可能な給紙トレイ３から排紙トレイ４に至るＵ字状に屈曲した搬送路７と、この搬送路７上に複数のローラを有して構成されている。
【００２０】
前記搬送路７は、給紙トレイ３上に積載されている複数枚のシートから１枚ずつ給紙する給紙パス８と、この給紙パス８から第１プラテン５を経由して延びる読取パス９と、この読取パス９から排紙トレイ４に連なる排紙パス１０とで連続した一つのパスを形成している。なお、各パスには要所にシートの搬送をガイドするマイラーＭが設けられている。
【００２１】
前記給紙パス８は、図２に示したように、上ガイド板８ａと下ガイド板８ｂとによってシートを搬送するスペースを確保している。上ガイド板８ａは回動支点１８ａに回動可能に支持された開閉カバー１８に固設されており、図中反時計方向に回動操作することによって開閉可能となっている。この開閉カバー１８は、繰出ローラ１１や給紙ローラ１２が配設されて一体に回動するようになっている。これにより、原稿トレイ３からレジストローラ対１３の手前までの給紙パス８の全てが連続して露出するように開放され、容易にジャムしたシートを取り除くができるように構成されている。また、開閉カバー１８が搬送路７を覆う閉位置から搬送路７を開放する開位置（上方）への回動によって、シート搬送装置１に供給される電源をインターロックスイッチ（図示せず）を用いて遮断するようになっている。つまり、安全性を確保するために開閉カバー１８が開状態で駆動モータ、電磁クラッチ、センサなどの電子部品における全ての通電が断たれる。
【００２２】
前記複数のローラは、前記給紙トレイ３からシートを繰り出すための繰出ローラ１１と、繰り出されたシートを給紙パス８に送り出す給紙ローラ１２と、第１プラテン５の手前でシートを整合させるレジストローラ対１３と、読取パス９に沿ってシートを搬送させる読取ローラ対１４と、シートを排紙トレイ４に排紙する排紙ローラ対１５とによって構成されている。
【００２３】
前記繰出ローラ１１は、整合板１７に突き当てて整合した状態で給紙トレイ３に載置されたシートの上面に接触してシートを繰り出す。なお、整合板１７は繰出ローラ１１がシートを繰り出す際にはシートへの規制を解除するように構成されている。給紙ローラ１２は、繰出ローラ１１にて繰り出されたシートを分離部材と協働して１枚に分離して給紙パス８に向けて送り出す。
【００２４】
前記レジストローラ対１３は駆動ローラ１３ａと従動ローラ１３ｂ、読取ローラ対１４は駆動ローラ１４ａと従動ローラ１４ｂ、排紙ローラ対１５は駆動ローラ１５ａと従動ローラ１５ｂによって構成されている。本実施形態では、第１プラテン５に近い位置にレジストローラ対１３を配置させたことによって、このレジストローラ対１３で給紙されたシートの整合を行うと共に、第１プラテン５を挟んで対向する読取ローラ対１４とでシートの読取時における搬送を行うようになっている。
【００２５】
また、制御系の構成として、給紙トレイ３上にシートが載置されたことを検出するエンプティセンサＳ１が配置され、給紙パス８内におけるレジストローラ対１３の手前には給紙されるシートの端部を検出するレジストセンサＳ２が配置されている。これらの各センサＳ１，Ｓ２は、シート搬送装置１全体の動作を制御するＣＰＵを備える制御部（図示せず）に接続されており、各センサＳ１，Ｓ２からの検知信号に基づいて、図４に示す駆動モータＭＯＴ及び第１、第２の電磁クラッチＣＬ１、ＣＬ２が制御される。
【００２６】
図４は、前記シート搬送機構２０及びジャム解除機構４０の駆動系統を模式的に示したものである。シート搬送機構２０の駆動源は単一の駆動モータＭＯＴであり、この駆動モータＭＯＴから３つの動力系統Ａ，Ｂ，Ｃに分かれている。第１動力系統Ａは駆動モータＭＯＴの駆動を、電機クラッチＣＬ１を介してレジストローラ対１３の駆動ローラ１３ａと読取ローラ対１４の駆動ローラ１４ａに伝達する。第２動力系統Ｂは駆動モータＭＯＴの駆動を、電磁クラッチＣＬ２を介して繰出ローラ１１と給紙ローラ１２に伝達する。第３動力系統Ｃは駆動モータＭＯＴの駆動を、クラッチなどを介さずに直接排紙ローラ対１５の駆動ローラ１５ａに伝達する。
【００２７】
ジャム解除機構４０では、スイッチに模した連結部材４３、４４の移動によって、ジャム解除ダイヤル５０の回転操作による駆動をレジストローラ対１３の駆動ローラ１３ａ、読取ローラ対１４の駆動ローラ１４ａ、排紙ローラ対１５の駆動ローラ１５ａに伝達する。その詳細は後述するが、前記連結部材４３、４４は通常のシート搬送時において、ジャム解除ダイヤル５０からレジストローラ対１３の駆動ローラ１３ａ、読取ローラ対１４の駆動ローラ１４ａ、排紙ローラ対１５の駆動ローラ１５ａへの駆動伝達を解除する。これによって、通常のシート搬送時にジャム解除機構４０が関与することがないので、駆動モータＭＯＴに余計な負荷が掛かることがなくなる。また、ジャム解除時においては、前記連結部材４３、４４はジャム解除ダイヤル５０からレジストローラ対１３の駆動ローラ１３ａ、読取ローラ対１４の駆動ローラ１４ａ、排紙ローラ対１５の駆動ローラ１５ａへの駆動伝達を伝達するように構成されている。したがって、前記モータＭＯＴの停止によって回転が停止した読取ローラ対１４の駆動ローラ１４ａと排紙ローラ対１５の駆動ローラ１５ａをジャム解除ダイヤル５０の手動による回転操作だけで強制的に回転させることができる。
【００２８】
図５はシート搬送機構２０及びジャム解除機構４０の駆動機構の詳細を示したものである。この図に示されるように、シート搬送機構２０の駆動機構はシート搬送装置１のリア側に設けられており、ジャム解除機構４０の駆動機構はシート搬送装置１のフロント側に設けられている。シート搬送機構２０の駆動構成は、前記レジストローラ対１３の駆動ローラ１３ａがレジストローラ駆動軸２１に、読取ローラ対１４の駆動ローラ１４ａが読取ローラ駆動軸２２に、排紙ローラ対１５の駆動ローラ１５ａが排紙ローラ駆動軸２３によって回転支持されている。また、前記レジストローラ駆動軸２１及び読取ローラ駆動軸２２の基端部は、第１タイミングベルト２５を介して回転軸２４に連結され、回転軸２４は電磁クラッチＣＬ１を介して第３ギア３０と結合する。前記第３駆動ギア３０は第２駆動ギア２９に連結し、第２タイミングベルト３２を介して駆動モータＭＯＴの第１回転軸３１に連結される。また、前記第２駆動ギア２９は第４駆動ギア２６に連結し、さらに、第５駆動ギア２７を介して排紙ローラ駆動軸２３の一端に設けられている第６駆動ギア２８に連結されている。そして、前記駆動モータＭＯＴを右方向あるいは左方向に回転させると各駆動ギアやタイミングベルトを介してレジストローラ駆動軸２１、読取ローラ駆動軸２２及び排紙ローラ駆動軸２３が同一方向に同時に回転する。なお、第３駆動ギア３０に設けられた電磁クラッチＣＬ１は、電流の通電によって第３駆動ギア３０と回転軸２４を連結し、通電を断つことによって第３駆動ギア３０と回転軸２４の連結を解除する。
【００２９】
次にジャム解除機構４０について説明する。このジャム解除機構４０には、互いに連結可能に配置される第１の連結部材と第２の連結部材とを備える。第２の連結部材は、読取ローラ駆動軸２２の先端部に設けられる読取ローラ回転ギア４１と、排紙ローラ駆動軸２３の先端部に設けられる排紙ローラ回転ギア４２とで構成される。また、第１の連結部材は、前記読取ローラ回転ギア４１に対して離間及び連結可能に配置される読取駆動ギア４３と、前記排紙ローラ回転ギア４２に対して離間及び連結可能に配置される排紙駆動ギア４４とで構成される。さらに、前記読取駆動ギア４３と排紙駆動ギア４４には、回転伝達手段（回転伝達ギア）４５が歯合して設けられる。この回転伝達ギア４５は、前記読取駆動ギア４３と排紙駆動ギア４４に連結する内径ギア４６及びこの内径ギア４６の外側に設けられる外径ギア４７とを有して構成されている。ジャム解除ダイヤル５０は、前記回転伝達ギア４５の外径ギア４７に歯合する内径ギア４８を有し、回転伝達ギア４５を介して前記読取駆動ギア４３と排紙駆動ギア４４に対して回転力を伝達する。
【００３０】
前記読取駆動ギア４３、排紙駆動ギア４４、回転伝達ギア４５及びジャム解除ダイヤル５０は、図３に示したような箱型の支持部材（ホルダ）５２に収められ、それぞれが回転自在に保持される。また、前記ホルダ５２は、図６及び図７に示されるように、ジャム解除ダイヤル５０が回転支持されるダイヤル回転軸５１と付勢部材（付勢バネ）５３を介してシート搬送機構２０内に揺動可能に取り付けられ、シート搬送時における位置とジャム解除時における位置とに切り換わる切換手段を構成している。この切換手段は、開閉カバー１８の開閉動作に連動して、前記ホルダ５２がダイヤル回転軸５１を中心として時計方向及び反時計方向に揺動する。
【００３１】
次に、前記ホルダ５２がシート搬送時とジャム解除時の２つの状態に切り変わる動作を図６及び図７に基づいて説明する。図６はシートの搬送が可能となるように、前記開閉カバー１８がジャム解除ダイヤル５０を含むシート搬送機構２０全体を覆う閉位置に閉じたときの状態を示したものである。この状態にあっては、前記開閉カバー１８が閉じた際に、押圧突起５５がホルダ５２の押圧接点５４を押圧することで、ホルダ５２がダイヤル回転軸５１を中心として付勢バネ５３に抗して図中時計方向に回転する。これによって、読取駆動ギア４３が読取ローラ回転ギア４１から離間し、排紙駆動ギア４４も排紙ローラ回転ギア４２から離間する。
【００３２】
図７はジャムが発生したときなどにおいて、シート搬送機構２０の上部を開放してジャム解除ダイヤル５０の少なくとも一部を露出させる開位置に前記開閉カバー１８を開いたときの状態を示したものである。この状態にあっては、前記開閉カバー１８が開く際に、押圧部材（押圧突起）５５がホルダ５２の押圧接点５４から離れることで、ホルダ５２が操作ギア回転軸５１を中心として付勢バネ５３の弾性力によって図中反時計方向に回転する。これによって、読取駆動ギア４３が読取ローラ回転ギア４１に連結すると同時に、排紙駆動ギア４４も排紙ローラ回転ギア４２に連結する。そして、ジャム解除ダイヤル５０を手動で時計方向あるいは反時計方向に回転させるとその回転駆動は第１の連結ギア４３から読取ローラ駆動軸２２に伝達し、また、読取ローラ駆動軸２２から第１タイミングベルト２５を介してレジストローラ駆動軸２１に伝達される。このようにして、読取ローラ対１４と排紙ローラ対１５を同時に同一方向に強制的に回転させることができ、ジャムしたシートを排紙トレイ４あるいは給紙トレイ３側に送り出して取り除くことができる。
【００３３】
図８は第２実施形態のジャム解除機構６０を備えたシート搬送装置１００の構成及びその動作を示したものである。このシート搬送装置１００は、読取装置本体２の上面を開放することによって離間する構造となっている。図９（ａ）に示すように、シートを搬送して読み取る際には、第２プラテン６上にシート搬送装置１００が載置された状態となり、前記第２プラテン６上にシートを載置する際やメンテナンスする際には、図９（ｂ）に示すように、第２プラテン６から上方に離間する。
【００３４】
シート搬送機構の構成は第１実施形態と同様であるが、ここでは、符号６１を読取ローラ回転ギア、符号６２を排紙ローラ回転ギアとして説明する。ジャム解除機構６０は、前記読取ローラ回転ギア６１及び排紙ローラ回転ギア６２に対して、それぞれ離間及び連結可能な読取駆動ギア６３及び排紙駆動ギア６４と、この読取駆動ギア６３及び排紙駆動ギア６４に噛み合う第１伝達ギア６５と、この第１伝達ギア６５に噛み合う第２伝達ギア６６と、この第２伝達ギア６６に噛み合うジャム解除ダイヤル６７と、これらのギアが回転保持され、ダイヤル回転軸６８を中心として揺動可能な支持部材（ホルダ）６９と、このホルダ６９を第２プラテン６側に付勢する付勢バネ７０とを有して構成されている。また、前記ホルダ６９の下端にはシート搬送装置１の下面から突出する当接部材７１が設けられている。
【００３５】
前記図９（ａ）に示したように、当接部材７１が読取装置本体２の上面に接触することで、ホルダ６９が付勢バネ７０に抗して上側に持ち上げられた状態となり、読取駆動ギア６３及び排紙駆動ギア６４がそれぞれ読取ローラ回転ギア６１及び排紙ローラ回転ギア６２から離間する。これによって、読取ローラ回転ギア６１及び排紙ローラ回転ギア６２はジャム解除機構６０の影響を受けることなく、駆動モータに余計な負荷が掛からない状態でスムーズにシートを搬送させることができる。
【００３６】
シート詰まり等のジャムが発生した場合は、図８及び図９（ｂ）に示したように、シート搬送装置１００を読取装置本体２の第２プラテン６から上方に持ち上げて離間させる。この離間動作によって、付勢バネ７０の戻り作用によって、ホルダ６９がダイヤル回転軸６８を中心として時計方向に回動し、読取駆動ギア６３及び排紙駆動ギア６４がそれぞれ読取ローラ回転ギア６１及び排紙ローラ回転ギア６２に連結する。そして、図８に示したように、シート搬送装置１００の下面に一部が露出しているジャム解除ダイヤル６７を手動で回転させることで、読取ローラ回転ギア６１及び排紙ローラ回転ギア６２が回転し、読取ローラ対及び排紙ローラ対によってジャムしたシートを排紙トレイ側あるいは給紙トレイ側に送り出して取り除くことができる。
【００３７】
本実施形態では、ジャム解除ダイヤル６７と読取ローラ回転ギア６１及び排紙ローラ回転ギア６２との間に第１伝達ギア６５と第２伝達ギア６６を設けて回転方向を変換したので、ジャム解除ダイヤル６７の回転方向と読取ローラ回転ギア６１及び排紙ローラ回転ギア６２の回転方向を一致させることができる。これによって、シートを取り除く方向に合わせたイメージ通りにジャム解除ダイヤル６７を操作することができる。
【００３８】
なお、本発明のシート搬送装置におけるジャム解除機構は、シート搬送手段が備える読取ローラ対及び排紙ローラ対に対して作用するように構成したが、これに限定することなく、ジャムが生じやすい他の搬送ローラに作用させるように構成することもでき、回転伝達ギアを調整することによって、３つ以上の搬送ローラに対しても単一のジャム解除ダイヤルで同時に操作するようにすることも可能である。
【符号の説明】
【００３９】
１  シート搬送装置
２  読取装置本体
３  給紙トレイ
４  排紙トレイ
５  第１プラテン
６  第２プラテン
７  搬送路
８  給紙パス
８ａ  上ガイド板
８ｂ  下ガイド板
９  読取パス
１０  排紙パス
１１  繰出ローラ
１２  給紙ローラ
１３  レジストローラ対
１４  読取ローラ対
１５  排紙ローラ対
１７  整合板
１８  開閉カバー
１８ａ  回動支点
２０  シート搬送機構
２１  レジストローラ駆動軸
２２  読取ローラ駆動軸
２３  排紙ローラ駆動軸
２４  回転軸
２５  第１タイミングベルト
２６  第４駆動ギア
２７  第５駆動ギア
２８  第６駆動ギア
２９  第２駆動ギア
３０  第３駆動ギア
３１  第１回転軸
３２  第２タイミングベルト
４０  ジャム解除機構
４１  読取ローラ回転ギア
４２  排紙ローラ回転ギア
４３  読取駆動ギア
４４  排紙駆動ギア
４５  回転伝達ギア
４６  内径ギア
４７  外径ギア
４８  内径ギア
５０  ジャム解除ダイヤル
５１  ダイヤル回転軸
５２  ホルダ
５３  付勢バネ
５４  押圧接点
５５  押圧突起
６０  ジャム解除機構
６１  読取ローラ回転ギア
６２  排紙ローラ回転ギア
６３  読取駆動ギア
６４  排紙駆動ギア
６５  第１伝達ギア
６６  第２伝達ギア
６７  ジャム解除ダイヤル
６８  ダイヤル回転軸
６９  ホルダ
７０  付勢バネ
７１  当接部材
１００  シート搬送装置
【図１】
0005704973.tif 000002
【図２】
0005704973.tif 000003
【図３】
0005704973.tif 000004
【図４】
0005704973.tif 000005
【図５】
0005704973.tif 000006
【図６】
0005704973.tif 000007
【図７】
0005704973.tif 000008
【図８】
0005704973.tif 000009
【図９】
0005704973.tif 000010